(57)【特許請求の範囲】
【請求項１】
フィーダ部に所定の大きさで積層状に供給された被打ち抜き材が搬送手段に供給され、供給された被打ち抜き材を、プレス部で被打抜き材にチェスと面板とからなる打抜き型で所定の型にプレスし、ストリッピング部でプレスされた被打抜き材から製品部分とグリッパーマージンとを残して非製品部分を取り除き、ノックオフ部でグリッパーマージンから製品部分を切り離し、切り離された製品部分をデリバリー部に収容するように形成された平盤打ち抜き装置であって、平盤打抜き装置のプレス部に打抜き型の交換用取出し口を設け、引き出されたチェスを交換するためのチェス反転装置を交換用取出し口の外方に設置したものにおいて、チェス反転装置は対峙した状態で反転する一対の支持アームを支柱に支持させ、支持アームには上下にチェスガイドを設けるとともに、前記一対の支持アームが対面する内側の両面に沿って列状に設けられたローラからなり前記チェスガイド間の空間部分にベース面板とこのベース面板の上面に取り付けられる薄い鋼板製の置き面板とからなる面板を支持する面板ガイドを上下２列に設けたことを特徴とする平盤打抜き装置。
【請求項２】
前記チェス反転装置を挟んで前記交換用取出し口の反対側に、前記面板ガイドから搬出される置き面板を収容する複数の棚、及び昇降機構の設けられた面板収納装置を備える請求項１に記載の平盤打抜き装置。
【発明の詳細な説明】
【技術分野】
【０００１】
本発明は平盤打抜き装置に関するものである。
【背景技術】
【０００２】
板紙や段ボール等のシート状部材を所定の型に打ち抜くものとして、一般的に、平盤打抜装置が用いられている。
この平盤打抜き装置は、切断する型に合わせて切断刃が木製の台板に配設された打抜き型（上型）を、カッティングプレートといわれる平らな面板（下型）の上方に装着し、両者の間にシート状部材（ワーク）を挟み、打抜き型に面板を押しつけ、それを所望の型にプレス部で打ち抜くようになっている。
上記打抜き型は頑丈な型支持枠（以下チェスという）の凹部にネジ止めされた状態で打抜き装置にセットされるので、大変重く、その装着作業は重労働であった。
そこで、こうした点を解決するために、特許文献１に示されるようなチェスを反転して交換するチェス反転装置が提案されている。
【０００３】
このチェス反転装置は、チェスの両側縁部の中間位置近傍に立設した支柱と、この支柱の上端寄り部に支持軸を設け、チェスの側縁部を支持する２面のチェスガイドを支持アームに設け、支持アームを支持軸に枢支させ、一方のチェスガイドに交換用のチェスを装着し、他方のチェスガイドは此処に交換されるチェスを収納のするために空けた状態にし、チェスはチェスガイドを摺動可能になっており、チェスを交換するために支持アームを、回転させて切替え可能に構成するとともに、チェスの交換作業中に支持アームが回動するのを防止するために、支持アームの回動を不能にするロック機構を支持軸の近傍に設けるようにしたものである。
【０００４】
チェスの交換は、先ず、一方のチェスガイドに装着された交換用のチェスが、支持アームの回転時に摺動して抜け落ちないようにチェスストッパーで固定する。
次に、打抜き装置のチェス引き出しアームのチェスガイドに沿って引き出された使用済みのチェスを他方の空いているチェスガイドの所定の位置に収納し、チェスストッパーで固定する。
この後、ロック機構を解除して支持アームを１８０度回転させ、交換するチェスを、打抜き装置のプレス部送り込んで装着するようにしたものである。
上記のように構成されたチェス交換器は、平盤打抜き装置のプレス部のチェスの交換用取出し口の外方部分に設置して使用される。
【０００５】
ところが、チェスの交換の作業効率を向上させるために、こうした平盤打抜き装置の打抜き型の交換用取出し口の外方にチェス反転装置を設置したものでは、交換用取出し口から引き出されたチェスをチェス反転装置に装着し、そのチェス反転装置を反転させて予め装着されていたチェスを交換用取り出し口から差し入れて交換するので、チェスの交換の作業効率は向上する。
ところが、チェスとともに引き出される面板は、鋼板製のベース面板と、このベース面板の上面に取り付けられる薄い鋼板製の置き面板とからなっており、チェス反転装置が交換用取出し口にあるために、プレス部からチェス引き出しアームを介してチェス反転装置の手前に取り出された面板は、此処で置き面板がベース面板から取り外された後、この置き面板を面板収納装置（ストッカー）に運んで収納し、さらに新たな置き面板を面板収納装置から運んできてチェス引き出しアームでベース面板に取り付けて面板を組み立て、この面板をプレス部に装着する手順で交換しなくてはならなかった。
【０００６】
このとき、置き面板が薄い鋼板でチェスと略同じ大きさになっていることから、チェス引き出しアーム部分でベース面板から取り出して面板収納装置に運ぶ途中にこの置き面板に傷が付かないように慎重に運ばなくてならず、手間がかかる上、置き面板が薄い鋼板であることから、手を傷つけやすく、安全性にも問題があった。
【先行技術文献】
【特許文献】
【０００７】
【特許文献１】特開平９−２２５８９５号公報
【発明の概要】
【発明が解決しようとする課題】
【０００８】
本発明は上記問題点に鑑み提案されたもので、面板の交換を安全にかつ短時間で行えるようにすることにより、打ち抜き型の交換に要する作業効率を大幅に向上できるようにすることを目的とするものである。
【課題を解決するための手段】
【０００９】
上記目的を解決するために、本発明にかかる平盤打抜き装置は、フィーダ部に所定の大きさで積層状に供給された被打ち抜き材が搬送手段に供給され、供給された被打ち抜き材を、プレス部で被打抜き材にチェスと面板とからなる打抜き型で所定の型にプレスし、ストリッピング部でプレスされた被打抜き材から製品部分とグリッパーマージンとを残して非製品部分を取り除き、ノックオフ部でグリッパーマージンから製品部分を切り離し、切り離された製品部分をデリバリー部に収容するように形成された平盤打ち抜き装置であって、平盤打抜き装置のプレス部に打抜き型の交換用取出し口を設け、引き出されたチェスを交換するためのチェス反転装置を交換用取出し口の外方に設置したものにおいて、チェス反転装置は対峙した状態で反転する一対の支持アームを支柱に支持させ、支持アームには上下にチェスガイドを設けるとともに、前記一対の支持アームが対面する内側の両面に沿って列状に設けられたローラからなり、前記チェスガイド間の空間部分にベース面板とこのベース面板の上面に取り付けられる薄い鋼板製の置き面板とからなる面板を支持する面板ガイドを上下２列に設けたことを最も主要な特徴とするものである。
本発明の平盤打抜き装置は、前記チェス反転装置を挟んで前記交換用取出し口の反対側に、前記面板ガイドから搬出される置き面板を収容する複数の棚、及び昇降機構の設けられた面板収納装置を備えることが好ましい。
【発明の効果】
【００１０】
本発明にかかる平盤打抜き装置によれば、平盤打抜き装置のプレス部に打抜き型の交換用取出し口を設け、引き出されたチェスを交換するためのチェス反転装置を交換用取出し口の外方に設置したものにおいて、チェス反転装置は対峙した状態で反転する一対の支持アームを支柱に支持させ、支持アームには上下にチェスガイドを設けるとともに、当該チェスガイド間の空間部分に、例えばベース面板の上面に薄い鋼板製の置き面板とを設けてなる面板を支持する面板ガイドを設けるようにしてある。
【００１１】
これにより、チェスとともに引き出された面板は、支持アームの上下のチェスガイド間に設けられた面板ガイドに受けられ、此処から薄い置き面板を面板収納装置に受け渡して収納することができるので、従来のように、作業者が薄くて大きな置き面板持って運ばなくても済み、こうした置き面板に傷をつけたり、運ぶ途中に作業者が傷ついたりすることがなく安全性が大幅に向上する利点がある。
【図面の簡単な説明】
【００１２】
【図１】は本発明にかかる平盤打抜き装置の概略を示す正面図である。
【図２】は本発明にかかる平盤打抜き装置の概略を示す平面図である。
【図３】は本発明にかかる平盤打抜き装置のチェスを引き出した状態の平面図である。
【図４】は本発明にかかる平盤打抜き装置の面板を引き出した状態の縦断側面図である。
【図５】は本発明にかかる平盤打抜き装置の面板を引き出した状態の平面図である。
【図６】は本発明にかかる平盤打抜き装置におけるチェス反転装置の縦断側面図である。
【図７】は本発明にかかる平盤打抜き装置におけるチェス反転装置の正面図である。
【発明を実施するための形態】
【００１３】
以下、本発明の平盤打抜き装置にかかる最も好ましい実施の形態を図面基づいて説明する。
図１は本発明にかかる平盤打抜き装置の概略を示す正面図、図２は平盤打抜き装置の概略を示す平面図、図３は平盤打抜き装置のチェスを引き出した状態の平面図、図４は平盤打抜き装置の面板を引き出した状態の縦断側面図であって、図中符号１は平盤打抜き装置を全体的に示す。
この平盤打抜き装置１は、例えば特開２００６−３４６７７９号公報にも記載されているように、フィーダ部２に所定の大きさで積層状に供給された被打ち抜き材３がチェーンコンベア等の搬送手段４に供給され、この供給された被打ち抜き材３を、プレス部５で被打抜き材３にチェス６と面板７とからなる打抜き型Ｐで所定の型にプレスし、プレスされた被打抜き材から製品部分とグリッパーマージンとを残してストリッピング部８で非製品部分を取り除き、ノックオフ部９でグリッパーマージンから製品部分を切り離し、切り離された製品部分をデリバリー部１０に収容するように構成された一般的な平盤打ち抜き装置１となっている。
【００１４】
そして、上記プレス部５の一側面（手前側の面）には打抜き型Ｐを交換するための交換用取り出し口１１が形成され、この交換用取り出し口１１の左右の側方にはチェス６及び面板７を引き出すためのチェス引き出しアーム１２が設けられ、このチェス引き出しアーム１２の手前側にはチェス反転装置１４が配設されている。
チェス引き出しアーム１２は、左右一対の支持部材１３・１３を、打抜き型Ｐの交換用取出し口１１部分に平盤打抜き装置１の外方に突出させ、対面する面にはチェス引き出し路１５と、面板引き出し路１６とが上下に形成されている。
【００１５】
チェス引き出し路１５は、図３及び図４に示すように、チェス引き出しアーム１２の長手方向に沿って複数のローラ１７を直線状に設けて形成されている。
面板引き出し路１６は、図４及び図５に示すように、前記チェス引き出し路１６の下方でチェス引き出しアーム１２の長手方向に沿って設けられたレール１８で形成されており、このレール１８はハンドル１９の操作によってチェス引き出しアーム１２・１２間側に進出若しくはその反対側に退避可能になっている。
【００１６】
チェス引き出しアーム１２の手前側に設置されるチェス反転装置１４は、図６及び図７に示すように、１対の鋼製の支柱２０と、各支柱２０の上端寄り部に支持軸２１を設け、この支持軸２１部分から前後方向に伸びる支持アーム２２を備えている。
支柱２０・２０は鋼材２３で連結されて両支柱２０・２０の間隔は前記支持アーム２０にチェス６が支持されるような幅にして固定されており、平盤打抜き装置１からチェス引き出しアーム１２を介してチェス６が引き出された時に、それを収納できる高さ位置に設置されている。
【００１７】
また、上記対峙させた状態で設けられた支持アーム２２同士が対面する面には、チェスガイド２４が上下に設けられている。
上下に設けられるチェスガイド２４は、チェス６の枠に形成された鍔（図示せず）を下から支えるように列状に配設されたローラ２５と、このローラ２５に支持された状態で送り込まれたチェス６を所定位置に固定する固定具２６とを備えてなる。
この固定具２６は、図６に示すように支持軸２１の近傍に進退操作可能なピンで形成され、チェス５の固定時にはこのピン２６が突出してチェス６の枠の鍔に形成された窪みに嵌合してチェス６の移動を阻止するとともに、図外の押さえ機構でチェス６の枠の鍔が押さえられてチェス６が固定されるようになっている。
【００１８】
そして、上下のチェスガイド２４・２４間の空間部分には、面板９を支持する面板ガイド２７が設けられている。
面板ガイド２７は、図５乃至図７に示すように、対峙する支持アーム２２が対面する内側の面に板状部材２８を取り付け、この板状部材２８の上下の各辺に沿って、列状に設けた複数のローラ２９で構成されている。
この面板ガイド２７に支持される面板７は、その取り付け構造の詳細は省略したが、ベース面板７aの上面にその周囲をクリップやクランプ、ボルトやビス等の固定金具で固定されたステンレス鋼の薄い鋼板からなる置き面板７ｂで形成されている。
【００１９】
尚、図中符号３０は面板収納装置であって、面板７のステンレス鋼の薄い鋼板からなる置き面板７ｂを収納するもので、複数の棚３１を設けたボックス状の収納部３２と、この収納部３２の底部に設けられたパンタグラフ式の昇降機構（図４参照）３３とを備えている。
上記のように構成された平盤打抜き装置１におけるチェス反転装置１４を用いて打抜き型Ｐの交換作業について説明する。
本発明の平盤打抜き装置１の動作の概要を説明しておくと、先ず、所定の大きさで積層状に供給されたフィーダ部２の被打ち抜き材３が、チェーンコンベア等の搬送手段４によりプレス部５に供給され、このプレス部５で被打抜き材３にチェス６と面板７とからなる打抜き型Ｐで所定の型にプレスされる。
【００２０】
プレスされた被打抜き材２は、ストリッピング部８で製品部分とグリッパーマージンとを残して非製品部分を取り除かれる。
非製品部分を取り除かれると、ノックオフ部９でグリッパーマージンから製品部分が切り離され、切り離された製品部分はデリバリー部１０に収容するよう平盤打ち抜き装置１が稼動される。
【００２１】
上記のようにして平盤打抜き装置１が駆動されて製品が形成されてゆくが、別の製品を製造する等で、打抜き型Ｐの交換する必要が生じる。
打抜き型Ｐの交換に当たっては、先ず、図２乃至図６に示すようにチェス反転装置１４の前方に、これと平面視において同芯状に面板収納装置３０を位置させておく。
そして上記特開平９−２２５８９５号公報に記載しているように、チェス反転装置１４の支持アーム２２の待機姿勢にある下方のチェスガイド２４には、予め、次に打抜き装置１にセットすべきチェス６をネジ止め等により固定する。
この時、上方のチェスガイド２４部分にはチェス６がないので交換されるチェス６の取り付け作業がしやすくなっている。
【００２２】
プレス部５の交換用取り出し口１１から先ず面板７を、チェス引き出しアーム１２の面板引き出し路１６のレール１８上に引き出す。
この引き出された面板７は、レール１８からチェス反転装置１４の支持アーム２２に形成された上方の面板ガイド２７に受け渡され、ベース面板７aから置き面板７ｂを取り外した後、この置き面板７ｂを面板ガイド２７から面板収納装置３０の空いている棚３１に滑り込ませて収納する。
このとき、本例のように、支持アーム２２に板状部材２８を取り付け、この板状部材２８の上下の辺に複数のローラ２９を列状に設けて面板ガイド２７を構成したものでは、このローラ２９の転動により面板７を軽い操作力で支持アーム２２に引き出すことができ、此処でベース面板７aから置き面板７ｂを分離し、ベース面板７aの上面を滑らせてこの置き面板７ｂだけを面板ガイド２７から面板収納装置３０の棚３１に収納させることができる。
【００２３】
上記のようにして置き面板７ｂを面板収納装置３０の棚３１に収納すると、次にプレス部５に装着されるチェス６に対応する置き面板７ｂを面板収納装置３０の棚３１から引き出して、支持アーム２２の面板ガイド２７にあるベース面板７a上に滑らせて運び、置き面板７ｂをベース面板７a上に固定する。
斯くして組み立てられた面板７は、チェス反転装置１４からチェス引き出しアーム１２を介して交換用取出し口１１に送り込まれてプレス部５に装着される。
【００２４】
次にプレス部５にあるチェス６をチェス引き出しアーム１２のチェス引き出し路１５に引き出し、此処からチェス反転装置１４の支持アーム１２に形成された上方のチェスガイド２４の所定位置に送り込まれて固定される。
プレス部５から引き出されたチェス６がチェスガイド２４の所定位置に固定されると、チェス反転装置１４の支持アーム２２を１８０度回転させて、支持アーム２２の下部のチェスガイド２４に予め固定されていた交換用チェス６を上方に位置させる。
交換用のチェス６が上方になると、支持アーム２２を固定し、この交換用のチェス６を上述したのとは逆の手順で、チェス引き出しアーム１２を介してチェス６の交換用取り出し口１１からプレス部５に送り込まれて装着されると、打抜き型Ｐの交換作業が完了する。
【００２５】
尚、上記実施の形態では、打抜き型Pの交換作業を、面板７を交換して後にチェス６を交換するようにしてあるが、こうした順番に限られず、たとえば、交換する古いチェス６をチェス反転装置１４に引き出し、チェス反転装置１４の支持アーム２２を反転させて新たなチェス６をプレス部５に送り込んで装着した後、前述の手順に従って、面板７の置き面板７ｂを交換することもできる。
また、チェス反転装置１４の支持アーム２２に形成される面板ガイド２７を、支持アーム２２が対面する内側の面に取り付けられた板状部材２８の上下の各辺に沿って、複数のローラ２９を列状に設けて形成するようにしてあるが、こうしたものに限られず、前記板状部材２８で面板７の端部分を直接受けるように構成することもできる。
さらに、上記実施の形態では、前記支持アーム２２に面板ガイド２７を形成する複数のローラ２９は、この複数のローラ２９を板状部材２８の中間高さ位置に１列状に設けて形成することもできる。
【符号の説明】
【００２６】
１・・・平盤打ち抜き装置
２・・・フィーダ部
３・・・被打ち抜き材
４・・・搬送手段
５・・・プレス部
６・・・チェス
７・・・面板
８・・・ストリッピング部
９・・・ノックオフ部
１０・・・デリバリー部
１１・・・・交換用取出し口
１２・・・チェス引き出しアーム
１４・・・チェス反転装置
２２・・・支持アーム
２４・・・チェスガイド
２７・・・面板ガイド
Ｐ・・・打抜き型
【図１】
0005409161.tif 000002
【図２】
0005409161.tif 000003
【図３】
0005409161.tif 000004
【図４】
0005409161.tif 000005
【図５】
0005409161.tif 000006
【図６】
0005409161.tif 000007
【図７】
0005409161.tif 000008